(57)【要約】【課題】男女問わず、着用することにより頻尿の改善や、予防を図れる頻尿改善用下着を提供する。【解決手段】着用者の太腿から腹部までを引き締めることができる頻尿改善用下着１０であって、パンツ本体部１１と、パンツ本体部１１の上縁部と一体化し、着用者の骨盤の高さ位置Ｐを中心にして、着用者の腹部から腰部までを引き締めるウエストニッパー部１２と、パンツ本体部１１の内側に位置し、着用者の股下を通り、着用者の骨盤底筋を上方へ引き上げた位置で保持可能なセンターベルト部１３と、を有し、センターベルト部１３は、パンツ本体部１１、又はウエストニッパー部１２に対して、着脱可能に止着されている。【選択図】  図１
2020176335.tif 000002
【特許請求の範囲】
【請求項１】
着用者の太腿から腹部までを引き締めることができる頻尿改善用下着であって、
パンツ本体部と、
前記パンツ本体部の上縁部と一体化し、前記着用者の骨盤の高さ位置を中心にして、前記着用者の腹部から腰部までを引き締めるウエストニッパー部と、
前記パンツ本体部の内側に位置し、前記着用者の股下を通り、前記着用者の骨盤底筋を上方へ引き上げた位置で保持可能なセンターベルト部と、を有し、
前記センターベルト部は、前記パンツ本体部、又はウエストニッパー部に対して、着脱可能に止着されていることを特徴とする頻尿改善用下着。
【請求項２】
前記センターベルト部は、前記頻尿改善用下着を着用しない状態の前記骨盤底筋の高さ位置から１ｃｍ上方へ引き上げた位置で、前記骨盤底筋を保持することを特徴とする請求項１記載の頻尿改善用下着。
【請求項３】
前記センターベルト部の一端部が、前記パンツ本体部、又はウエストニッパー部の前側に着脱可能に止着される一方、前記センターベルト部の他端部が前記パンツ本体部、又はウエストニッパー部の後側に着脱可能に止着されることを特徴とする請求項１、又は２に記載の頻尿改善用下着。
【請求項４】
前記センターベルト部は、前記着用者の肌側に位置し、尿を吸収する素材で形成された吸収層と、前記頻尿改善用下着の生地側に位置し、防水布で形成された防水層と、前記吸収層と前記防水層との間に位置し、吸水不織布で形成された中間層とを備えることを特徴とする請求項１〜３の何れかに記載の頻尿改善用下着。
【請求項５】
前記着用者の太腿を矯正しつつ、臀部を引き上げる太腿ゴム部を有することを特徴とする請求項１〜４の何れかに記載の頻尿改善用下着。
【発明の詳細な説明】
【技術分野】
【０００１】
本発明は、着用することにより頻尿の改善や、予防を図ることができる下着に関する。
【背景技術】
【０００２】
頻尿とは、膀胱に溜まった尿を全部排出することができず、残尿がある症状である。ここで、頻尿の要因としては、骨盤底筋の低下による膀胱の下垂、心理的原因、膀胱炎、前立線の肥大、膀胱癌等が挙げられる。特に、加齢とともに、骨盤底筋が衰えにより、膀胱が下垂するとともに、尿道を締める力が弱まることによって、頻尿の症状が現れることが、一般的な要因として知られている。頻尿は、男女問わず、中高年齢層以降に多く見られる症状である。
【０００３】
このような頻尿の症状が見られる中高年層の多くは、排尿後の残尿が少量漏れ出てしまう者が多いことから、例えば、特許文献１に開示された、尿を吸収する尿吸収パッドを備えた下着が開発されている。
【先行技術文献】
【特許文献】
【０００４】
【特許文献１】特開２０１８−２０４１３０
【発明の概要】
【発明が解決しようとする課題】
【０００５】
しかしながら、特許文献１に開示されたような「尿漏れ対策を施した男性用パンツ」は、頻尿による尿漏れに対応するものであるが、頻尿自体を改善するものでも、また予防するものでもない。
【０００６】
そして、頻尿の症状が見られる者は、トイレに行く回数が増加する傾向があり、例えば長時間にわたる警備の仕事に従事する者は、自由にトイレに行くことができず、大変不便を感じていた。また、バスや、電車等における長時間の移動や、健康維持のためのウォーキングの際に、トイレが近くに存在していない場所もあるため、長時間外出することを敬遠する者もいた。
【０００７】
本発明は、上記課題に鑑みて、男女問わず、着用することにより頻尿の改善や、予防を図れる頻尿改善用下着を提供することにある。
【課題を解決するための手段】
【０００８】
上記課題を解決するためになされた本発明の頻尿改善用下着は、着用者の太腿から腹部までを引き締めることができる頻尿改善用下着であって、パンツ本体部と、前記パンツ本体部の上縁部と一体化し、前記着用者の骨盤の高さ位置を中心にして、前記着用者の腹部から腰部までを引き締めるウエストニッパー部と、前記パンツ本体部の内側に位置し、前記着用者の股下を通り、前記着用者の骨盤底筋を上方へ引き上げた位置で保持可能なセンターベルト部と、を有し、前記センターベルト部は、前記パンツ本体部、又はウエストニッパー部に対して、着脱可能に止着されていることを特徴とする。
この構成により、男女問わず、着用することによって、着用者の骨盤底筋を上方に引き上げられた位置に保持することができ、頻尿の改善を図ることができる。
【０００９】
また、本発明の頻尿改善用下着は、前記センターベルト部は、前記頻尿改善用下着を着用しない状態の前記骨盤底筋の高さ位置から１ｃｍ上方へ引き上げた位置で、前記骨盤底筋を保持することを特徴とする。
この構成により、着用者の骨盤底筋が最適な位置に保持されることにより、頻尿の改善を図ることができる。
【００１０】
また、本発明の頻尿改善用下着は、前記センターベルト部の一端部が、前記パンツ本体部、又はウエストニッパー部の前側に着脱可能に止着される一方、前記センターベルト部の他端部が前記パンツ本体部、又はウエストニッパー部の後側に着脱可能に止着されることを特徴とする。
この構成により、前記センターベルト部が汚れた場合でも、新しい前記センターベルト部に容易に交換することができる。
【００１１】
また、本発明の頻尿改善用下着は、前記センターベルト部は、前記着用者の肌側に位置し、尿を吸収する素材で形成された吸収層と、前記頻尿改善用下着の生地側に位置し、防水布で形成された防水層と、前記吸収層と前記防水層との間に位置し、吸水不織布で形成された中間層とを備えることを特徴とする。
この構成により、仮に尿もれをしたとしても、着用者は尿もれによる濡れ感なく、着用することができるとともに、尿もれによるパンツ本体部の汚れを防ぐことができる。
【００１２】
また、本発明の頻尿改善用下着は、前記着用者の太腿を矯正しつつ、臀部を引き上げる太腿ゴム部を有することを特徴とする。
この構成により、前記着用者の太腿を矯正しつつ、臀部を引き上げることにより、前記センターベルト部による着用者の骨盤底筋の引き上げを補助することができる。
【発明の効果】
【００１３】
本発明の頻尿改善用下着は、男女問わず、着用することによって、着用者の骨盤底筋を上方に引き上げられた位置に保持することができ、頻尿の改善や、予防を図ることができる。
【図面の簡単な説明】
【００１４】
【図１】本実施形態の頻尿改善用下着の正面図である。
【図２】本実施形態の頻尿改善用下着の背面図である。
【図３】本実施形態の頻尿改善用下着の側面図である。
【図４】本実施形態の頻尿改善用下着の別実施例の側面図である。
【図５】本実施形態の頻尿改善用下着に係るセンターベルト部の全体図である。
【図６】本実施形態の頻尿改善用下着に係るセンターベルト部の断面図である。
【発明を実施するための最良の形態】
【００１５】
以下、本発明に係る実施形態の頻尿改善用下着を、図１〜３に基づいて、以下説明する。図１は本実施形態の頻尿改善用下着の正面図である。また、図２は本実施形態の頻尿改善用下着の背面図である。さらに、図３は本実施形態の頻尿改善用下着の側面図である。
【００１６】
本発明に係る実施形態の頻尿改善用下着１０は、着用者の太腿から腹部までを引き締めることができる頻尿改善用下着であって、パンツ本体部１１と、パンツ本体部１１の上縁部と一体化し、着用者の骨盤の高さ位置Ｐを中心にして、着用者の腹部から腰部までを引き締めるウエストニッパー部１２と、パンツ本体部１１の内側に位置し、着用者の股下を通り、着用者の骨盤底筋を上方へ引き上げた位置で保持可能なセンターベルト部１３とを有する。
【００１７】
パンツ本体部１１は、一般的な下半身用下着と同様な形状に形成されており、着用者の臀部を被覆する。また、図１に示すように、本実施形態の頻尿改善用下着１０の前側（着用者が着用した場合の腹側）を上にして、広げた場合に現れる部分を、前身頃１４とする。一方、図２に示すように、本実施形態の頻尿改善用下着１０の後側（着用者が着用した場合の背中側）を上にして、広げた場合に現れる部分を、後身頃１５とする。説明の便宜上、パンツ本体部１１を、前身頃１４と後身頃１５とに分けているが、人体の身体的形状に合わせて、前身頃１４と後身頃１５をさらに細かく分割したパーツとし、それらを縫製して一体化したものとしてもよい。
【００１８】
ウエストニッパー部１２は、着用者の骨盤の高さ位置Pを中心にして、着用者の腹部から腰部を覆うことができる幅寸法（一般的な成人男性の体型であれば、１０ｃｍ）に形成されており、腹部から腰部を引き締めることができる。また、ウエストニッパー部１２は、着用者が歩行したり、椅子に座ったりしても、頻尿改善用下着１０が上下にズレることを抑制することができる。さらに、ウエストニッパー部１２が、着用者の姿勢を矯正することにより、着用者が正しい姿勢を保持しやすくする。
【００１９】
また、図１に示すように、着用者の腹側のウエストニッパー部１２に、ウエストボーン１６ａ・１６ａを内挿させることによって、着用者の腹筋力を補うとともに、着用者の下腹部の出っ張りによる、頻尿改善用下着１０の捲れを生じにくくすることができる。また、図２に示すように、着用者の背中側のウエストニッパー部１２に、ウエストボーン１６ｂ・１６ｂを内挿させてもよく、着用者の背筋力を補い、着用者の腰をしっかりサポートすることによって、いわゆるぎっくり腰（急性腰痛症）を防止することができる。
【００２０】
さらに、ウエストニッパー部１２の上縁部には、頻尿改善用下着１０がずり落ちないように、伸縮性材料からなるウエストゴム部１７を備えてもよい。ウエストゴム部１７は、一般的に市販されている下着に取り付けられているものでもよく、ゴム材料を含有するものに限らず、伸縮性編地であってもよい。
【００２１】
センターベルト部１３は、着用者の股下を通り、骨盤底筋を中芯より上方へ引き上げた位置で保持する。換言すると、センターベルト部１３は、ふんどしのように、骨盤底筋を上方へ引き上げた位置で保持する。本実施形態では、センターベルト部１３は、頻尿改善用下着１０を着用しない状態の骨盤底筋の高さ位置から１ｃｍ上方へ引き上げた位置で保持するよう調整されている。
【００２２】
また、センターベルト部１３は、パンツ本体部１１に対して、着脱可能に止着されている。具体的には、センターベルト部１３の一端部１３ａが、パンツ本体部１１の前側、すなわち前身頃１４に着脱可能に止着される一方、センターベルト部１３の他端部１３ｂがパンツ本体部１１の後側、すなわち後身頃１５に着脱可能に止着されることによって、図３に示されるように吊り橋のような構成となる。本実施形態では、センターベルト部１３の一端部１３ａ、及び他端部１３ｂにそれぞれ面ファスナ（マジックテープ（登録商標））が設けられる一方、パンツ本体部１１の前身頃１４及び後身頃１５の肌側に、上記面ファスナに対応する面ファスナが設けられる。さらに、図４に示すように、センターベルト部１３は、パンツ本体部１１ではなく、ウエストニッパー部１２に対して、着脱可能に止着させる構成であってもよく、センターベルト部１３の一端部１３ａが、ウエストニッパー部１２の前側に着脱可能に止着される一方、センターベルト部１３の他端部１３ｂがウエストニッパー部１２の後ろ側に着脱可能に止着されることによって、図４に示されるように吊り橋のような構成となる。なお、センターベルト部１３の一端部１３ａ及び他端部１３ｂが外れないように、センターベルト部１３の一端部１３ａ及び他端部１３ｂを止着した箇所を覆うカバー部材を、パンツ本体部１１に設けてもよい。
【００２３】
このように、センターベルト部１３の一端部１３ａ及び他端部１３ｂがパンツ本体部１１とそれぞれ止着されるとともに、パンツ本体部１１の上端縁とウエストニッパー部１２とが一体化していることにより、着用者が歩行したり、椅子に座ったりしても、センターベルト部１３が下方へズレることを抑制し、骨盤底筋を、頻尿改善用下着１０を着用しない状態の骨盤底筋の高さ位置から、例えば１ｃｍ上方へ引き上げた位置で保持することができる。
【００２４】
また、センターベルト部１３は、パンツ本体部１１から取り外し可能な構造であるため、仮にセンターベルト部１３が汚れた場合には、パンツ本体部１１から取り外し、洗濯することにより、清潔な状態で繰り返して使用することができる。また、新しいセンターベルト部１３と交換すれば、着用者は常に清潔な状態でいることができる。
【００２５】
ここで、センターベルト部１３は、図５に示すように、着用者の股下を通過する部分は、幅狭に形成されており、着用者が歩行等する際に邪魔になることはない。また、センターベルト部１３の厚さ寸法は、３ｍｍ程度であって、頻尿改善用下着１０を着用した状態であっても、アウターに響くことはない。
【００２６】
また、図６に示すように、センターベルト部１３は、着用者の肌側に位置し、尿を吸収する素材で形成された吸収層１３１と、頻尿改善用下着１０の生地側に位置し、防水フィルムで形成された防水層１３２と、吸収層１３１と防水層１３２との間に位置し、高吸水不織布で形成された中間層１３３とを備えた三層構造である。
【００２７】
吸収層１３１は、着用者の肌側に位置しており、水分を素早く吸収し、拡散する素材で形成されている。また、吸収層１３１に用いる素材は、消臭加工、及び制菌加工した素材であると好ましい。吸収層１３１は、尿もれを素早く吸収し、拡散させることにより、着用者が尿もれをした状態であっても、濡れ感を軽減することができる。
【００２８】
防水層１３２は、頻尿改善用下着１０の生地側に位置しており、頻尿改善用下着１０の生地側へ尿を透過しない防水フィルムで形成されている。防水層１３２は、尿もれを頻尿改善用下着１０の生地側へ透過させず、頻尿改善用下着１０が濡れることを防止する。
【００２９】
中間層１３３は、吸収層１３１と防水層１３２との間に位置し、高吸水不織布で形成される。中間層１３３は、吸収層１３１に吸収された尿もれを保水することができるとともに、尿に含まれるアンモニアを消臭する素材で形成される。
【００３０】
なお、センターベルト部１３が、パンツ本体部１１の内側に位置し、着用者の泌尿器部分が二重に保護される構造となっていることから、泌尿器部分を保温する効果を有する。
【００３１】
太腿ゴム部１８は、いわゆるガードルのように、着用者の太腿を引き締めるとともに、臀部を引き上げる。また、太腿ゴム部１８は、パンツ本体部１１と一体化した形状とし、着用者の太腿から臀部にかけて引き上げる構造としてもよい。
【００３２】
さらに、頻尿改善用下着１０は、全体が２重構造になっており、表面側は、伸縮性のある素材、例えばナイロンやポリウレタン等からなる複数の化学繊維が混合された生地が用いられ、裏面側は、着用者の着心地を重視し、綿素材から生成された生地が用いられている。
【００３３】
上述したように構成された本実施形態の頻尿改善用下着１０を、複数の被験者に一定期間使用してもらい、頻尿の改善に関するヒヤリングを行った。
【００３４】
例えば、被験者Ａは、毎日の散歩を日課とする７０歳台の男性である。被験者Ａは、頻尿改善用下着１０を着用する前は、１時間程度の散歩の際、トイレに立ち寄る回数は少なくとも２回あった。しかしながら、頻尿改善用下着１０を履いている間は、トイレに立ち寄る回数が１回に減り、半分となった。
【００３５】
また、被験者Ｂは、婦人服の販売業に従事している６０歳台の女性である。仕事柄、接客中にトイレに行くわけにもいかず、毎日我慢しながらの接客を強いられていた。一方、どうしても我慢できない場合は、接客を中断し、離席することになることから販売成績の減少も招いていた。しかしながら、頻尿改善用下着１０を履いている間は、接客中にトイレを我慢する回数が確実に減少した。
【００３６】
さらに、被験者Ｃは、空港で警備員として働いている６０歳台の男性である。空港という場所柄、暑い日や寒い日に関係なく、また雨や雪の日も屋外で、警備する必要があった。また、仕事上１時間〜２時間半の間に渡って持ち場を離れることができないことから、警備の途中でトイレに行くことができず、大変困っていた。しかしながら、頻尿改善用下着１０を履いている間は、体も冷えず、警備の途中でトイレに行きたいという気持ちさえ起らなかった。
【００３７】
本実施形態の頻尿改善用下着１０は、センターベルト部１３により、骨盤底筋を引き上げつつ、着用者の腹部から腰部、臀部、そして太腿部にかけて全体を引き締める構成により、センターベルト部１３のズレを抑制し、骨盤底筋を引き上げた状態で保持することができ、頻尿の改善を図ることができる。
【００３８】
本実施形態の頻尿改善用下着１０は、着用者が尿もれしたとしても、着用者が濡れ感なく、着用することができるとともに、頻尿改善用下着１０に係るパンツ本体部１１の生地が濡れることがない。
【００３９】
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含む。
【産業上の利用可能性】
【００４０】
本実施形態の頻尿改善用下着１０の変形例として、後身頃１５に、腰を温めるためのカイロや、パスポートのような貴重品を収容することができるポケットを備えてもよい。
【符号の説明】
【００４１】
１０…頻尿改善用下着
１１…パンツ本体部
１２…ウエストニッパー部
１３…センターベルト部
１４…前身頃
１５…後身頃
１６ａ、１６ｂ…ウエストボーン
１７…ウエストゴム部
１８…太腿ゴム部
１３１…吸収層
１３２…中間層
１３３…防水層
【図１】
2020176335.tif 000003
【図２】
2020176335.tif 000004
【図３】
2020176335.tif 000005
【図４】
2020176335.tif 000006
【図５】
2020176335.tif 000007
【図６】
2020176335.tif 000008